(57)【要約】【課題】建物又は建具の開口部に固定される下枠を備える建具において、見込方向の厚みを大きくすることなく断熱性の向上及び排水性を両立できる構成を提供すること。【解決手段】戸体１２（建具）の開口部３０に固定される開口部下枠５２は、屋外側アルミ形材６１０の上部と屋内側アルミ形材７１０の上部をカシメ固定により見込方向で連結する上側樹脂ブリッジ６６０と、屋外側アルミ形材６１０の下部と屋外側アルミ形材６１０の下部をカシメ固定により見込方向で連結し、屋内側アルミ形材７１０と屋外側アルミ形材６１０の間で上側樹脂ブリッジ６６０とともに中間空間６０２を形成する下側樹脂ブリッジ６７０と、屋内側水受け部７１６、中間空間６０２及びホロー部６０３を連通し、屋外側アルミ形材６１０に形成される出口６２０に至る排水経路９００と、を備える。【選択図】図４
2018150702.tif 000002
【特許請求の範囲】
【請求項１】
建物又は建具の開口部に固定される下枠を備える建具であって、
前記下枠は、
屋内側水受け部を有し、屋内側に配置される屋内側金属製部材と、
屋外側中空部を有し、屋外側に配置される屋外側金属製部材と、
前記屋外側金属製部材の上部と前記屋内側金属製部材の上部をカシメ固定により見込方向で連結する上側樹脂製部材と、
前記屋外側金属製部材の下部と前記屋内側金属製部材の下部をカシメ固定により見込方向で連結し、前記屋内側金属製部材と屋外側金属製部材の間で前記上側樹脂製部材とともに中間空間を形成する下側樹脂製部材と、
前記屋内側水受け部、前記中間空間及び前記屋外側中空部を連通し、前記屋外側金属製部材に形成される出口に至る排水経路と、
を備える建具。
【請求項２】
前記屋内側金属製部材は、前記屋内側水受け部の底面から屋外側に延びる屋外側延出片を有し、
前記屋外側金属製部材は、屋内側に延びて前記屋外側延出片の下側に入り込む屋内側延出片を有し、
前記下側樹脂製部材は、前記屋内側延出片の下側に配置される請求項１に記載の建具。
【請求項３】
前記屋内側延出片の先端が上方に立ち上がる形状である請求項２に記載の建具。
【請求項４】
前記下側樹脂製部材の少なくとも上部が、耐水性のある材料で構成されるとともに前記排水経路の底面の一部を形成する請求項１に記載の建具。
【発明の詳細な説明】
【技術分野】
【０００１】
本発明は、建物又は建具の開口部に固定される下枠を備える建具に関する。
【背景技術】
【０００２】
従来、建物や建具の開口部に固定される下枠に、屋内側から屋外側に排水を行う排水構造を設ける技術が知られている。この種の技術を開示するものとして例えば、特許文献１がある。特許文献１には、屋外側に配置される開口部下枠本体の中空部から雨水等を排水するための排水弁を有する構造について記載されている。
【先行技術文献】
【特許文献】
【０００３】
【特許文献１】特開２０１６−１０８８３０号公報
【発明の概要】
【発明が解決しようとする課題】
【０００４】
ところで、下枠の屋内側に樹脂製部材を配置して断熱性を向上させることがある。しかし、設計上の制約やデザイン性の観点から、下枠の屋内側に配置される樹脂製部材の見込方向の厚みを確保できない場合もある。このような場合において、金属製の下枠を屋外側と屋内側に分割し、樹脂製のブリッジによって屋外側と屋内側をカシメ加工で連結する方法が考えられる。しかし、屋内側と屋外側が分割される結果、屋内側から屋外側に排水を行うための排水経路が閉じられてしまうことになり、排水性能が低下してしまう。
【０００５】
本発明は、建物又は建具の開口部に固定される下枠を備える建具において、見込方向の厚みを大きくすることなく断熱性の向上及び排水性を両立できる構成を提供することを目的とする。
【課題を解決するための手段】
【０００６】
本発明は、建物又は建具（例えば、後述の建具１、戸体１２）の開口部（例えば、後述の開口部３０）に固定される下枠（例えば、後述の開口部下枠５２）を備える建具であって、前記下枠は、屋内側水受け部（例えば、後述の屋内側水受け部７１６）を有し、屋内側に配置される屋内側金属製部材（例えば、後述の屋内側アルミ形材７１０）と、屋外側中空部（例えば、後述のホロー部６０３）を有し、屋外側に配置される屋外側金属製部材（例えば、後述の屋外側アルミ形材６１０）と、前記屋外側金属製部材の上部と前記屋内側金属製部材の上部をカシメ固定により見込方向で連結する上側樹脂製部材（例えば、後述の上側樹脂ブリッジ６６０）と、前記屋外側金属製部材の下部と前記屋内側金属製部材の下部をカシメ固定により見込方向で連結し、前記屋内側金属製部材と屋外側金属製部材の間で前記上側樹脂製部材とともに中間空間（例えば、後述の中間空間６０２）を形成する下側樹脂製部材（例えば、後述の下側樹脂ブリッジ６７０）と、前記屋内側水受け部、前記中間空間及び前記屋外側中空部を連通し、前記屋外側金属製部材に形成される出口（例えば、後述の出口６２０）に至る排水経路（例えば、後述の排水経路９００）と、を備える建具に関する。
【０００７】
前記屋内側金属製部材は、前記屋内側水受け部の底面（例えば、後述の底面７１５）から屋外側に延びる屋外側延出片（例えば、後述の屋外側延出片７１２）を有し、前記屋外側金属製部材は、屋内側に延びて前記屋外側延出片の下側に入り込む屋内側延出片（例えば、後述の屋内側延出片６３０）を有し、前記下側樹脂製部材は、前記屋内側延出片の下側に配置されることが好ましい。
【０００８】
前記屋内側延出片の先端が上方に立ち上がる形状であることが好ましい。
【０００９】
前記下側樹脂製部材の少なくとも上部（例えば、後述の止水部９７２）が、耐水性のある材料で構成されるとともに前記排水経路の底面の一部を形成することが好ましい。
【発明の効果】
【００１０】
本発明によれば、建物又は建具の開口部に固定される下枠を備える建具において、見込方向の厚みを大きくすることなく断熱性の向上及び排水性を両立できる。
【図面の簡単な説明】
【００１１】
【図１】本発明の一実施形態に係る額縁部材が適用される建具を屋外側から見た姿図である。
【図２】本実施形態の額縁部材が適用される建具を屋内側から見た姿図である。
【図３】本実施形態の額縁部材が適用される建具が備える戸体の横断面図である。
【図４】本実施形態の建具が備える開口部下枠及びその周囲を示す拡大縦断面図である。
【図５】変形例の建具が備える開口部下枠及びその周囲を示す拡大縦断面図である。
【発明を実施するための形態】
【００１２】
以下、本発明の好ましい実施形態について図面を参照しながら説明する。
【００１３】
まず、本発明が適用される建具１の全体構成について説明する。図１は、本発明の一実施形態に係る建具１を屋外側から見た姿図である。図２は、本実施形態の建具１を屋内側から見た姿図である。図３は、本実施形態の建具１が備える戸体１２の横断面図である。図４は、本実施形態の建具１が備える開口部下枠５２及びその周囲を示す拡大縦断面図である。
【００１４】
本実施形態の建具１は、固定枠体１１と、戸体１２と、複数の丁番１３と、ドアクローザ１４と、ドアガード１５と、を備える。なお、以下の説明において、「吊元側」とは、戸体１２の吊元側を意味し、「戸先側」とは、戸体１２の戸先側を意味する。
【００１５】
固定枠体１１は、建物に形成された躯体開口部２に固定される。固定枠体１１は、横枠としての固定上枠１１１及び固定下枠１１２と縦枠としての吊元側の固定縦枠１１３及び戸先側の固定縦枠１１４により矩形に枠組みされる。
【００１６】
戸体１２は、固定枠体１１の内側に吊り込まれる玄関ドア等の開き戸である。複数の丁番１３により、固定枠体１１に戸体１２が開閉可能（回動可能）に支持される。
【００１７】
ドアクローザ１４は、戸体１２の屋内側の上側であって、戸体１２の見付方向（戸体１２の幅方向）の中心よりも吊元側に寄って配置される。ドアクローザ１４は、本体が戸体１２に、アームが固定上枠１１１に、それぞれ接続される。
【００１８】
ドアガード１５は、戸体１２に配置され、かつ、ループ状に形成されたドアガード本体部１６と、戸先側の固定縦枠１１４に配置され、かつ、ドアガード本体部１６が掛合することが可能なドアガード受け部１７と、を有する。
【００１９】
図１を参照して戸体１２の屋外側に配置される構成について説明する。戸体１２の屋外側の表面には屋外側面材６１が配置される。戸体１２の屋外戸先側における高さ方向の略中央部には屋外側ハンドル６２が配置される。屋外側ハンドル６２の上下それぞれにはシリンダー６３，６４が配置される。また、屋外側面材６１の左右方向中央には上下方向に延びる化粧材６５が配置され、この化粧材６５の両側には左右一対の外額縁部材６６が固定される。外額縁部材６６は、戸体１２の屋外側に配置される嵌合部材６７を介して固定される（図３参照）。
【００２０】
図２を参照して戸体１２の屋内側に配置される構成について説明する。戸体１２の屋内側の表面には屋内側面材７１が配置される。戸体１２の屋内戸先側における高さ方向の略中央部には屋内側ハンドル７２が配置される。屋内側ハンドル７２の上下それぞれにはサムターン７３，７４が配置される。
【００２１】
また、屋内側面材７１の化粧材６５の裏側には採風窓として機能する開閉可能な障子４０が配置される。屋内側面材７１における障子４０の四周には樹脂製の額縁８０が固定される。額縁８０は、上額縁８１、下額縁８２、吊元側の縦額縁８３及び戸先側の縦額縁８４からなる。縦額縁８３，８４の上下端のそれぞれには、端部の開口部を塞ぐ端部キャップ１００が嵌め込まれる。
【００２２】
本実施形態の戸体１２は、戸体１２の四周を囲んで配置される框体２０と、戸体１２に形成される開口部３０に固定され、障子４０が嵌め込まれる開口部枠体５０と、を更に備える。
【００２３】
框体２０は、横框としての上框２１及び下框２２と縦框としての吊元側の縦框２３及び戸先側の縦框２４により矩形に框組みされる。
【００２４】
開口部枠体５０は、横枠としての開口部上枠（図示省略）及び開口部下枠５２と、縦枠としての吊元側の開口部縦枠５３及び戸先側の開口部縦枠５４により矩形に枠組みされる。
【００２５】
吊元側の開口部縦枠５３には吊元側の縦額縁８３を嵌合固定する縦ジョイント部材９３がビス９５により固定され、戸先側の開口部縦枠４４には戸先側の縦額縁８４を嵌合固定する縦ジョイント部材９４がビス９５により固定される。開口部下枠５２も同様に下ジョイント部材９２を介して下額縁８２が固定される。開口部上枠も同様の構成で上額縁８１が嵌合固定される。
【００２６】
次に、開口部枠体５０の内側に嵌め込まれる障子４０について説明する。障子４０は、開口部３０の内側に上側アーム及び下側アーム（何れも図示省略）を介して開閉可能に吊り込まれる縦辷り出しタイプの障子である。障子４０を開放すれば、戸体１２を開放することなく屋内の通気・換気（採風）が可能になる。
【００２７】
本実施形態の障子４０は、採風框体４１と、ガラス４２と、把手部１５０（図２参照）と、を備える。
【００２８】
採風框体４１は、横框としての採風上框４１１及び採風下框４１２と縦框としての吊元側の採風縦框４１３及び戸先側の採風縦框４１４により矩形に框組される。採風上框４１１、採風下框４１２及び採風縦框４１３，４１４は、何れもアルミ形材と樹脂形材からなる複合部材である。図３に示すように、左右の採風縦框４１３，４１４は、屋内側に配置される樹脂形材４１３ａ，４１４ａと屋外側に配置されるアルミ形材４１３ｂ，４１４ｂが嵌合固定されて構成される。
【００２９】
図４に示すように、採風下框４１２は、屋内側樹脂製部材４１２ａと、屋内側アルミ形材４１２ｂと、屋外側アルミ形材４１２ｃと、屋内側アルミ形材４１２ｂと屋外側アルミ形材４１２ｃを見込方向で連結する框樹脂ブリッジ４９５と、を備える。
【００３０】
屋内側樹脂製部材４１２ａは、屋内側アルミ形材４１２ｂの屋内側に形成される嵌合部４８１，４８２に嵌合固定される。屋内側アルミ形材４１２ｂの屋外側の上下それぞれにはブリッジ嵌合溝４８３，４８４が形成されており、屋外側アルミ形材４１２ｃの屋内側の上下それぞれにもブリッジ嵌合溝４９１，４９２が形成される。屋外側アルミ形材４１２ｃは、框樹脂ブリッジ４９５を介して屋内側アルミ形材４１２ｂに連結される。連結された屋内側樹脂製部材４１２ａ、屋内側アルミ形材４１２ｂ及び屋外側アルミ形材４１２ｃにより、ガラス４２の下端部を保持するガラス溝４９０が形成される。なお、採風上框４１１も同様の複合部材で構成される。
【００３１】
ガラス４２は、採風框体４１の内側に嵌め込まれる複層ガラスである。ガラス４２は、グレイジングチャンネル４３０等を介して採風框体４１の内側に固定される。また、ガラス４２の屋外側には網６８が配置される。網６８は、障子４０を開放することで屋外と屋内とを開口部３０を通じて連通させた際に、虫等が屋内に侵入するのを防ぐためのものである。
【００３２】
把手部１５０は、吊元側の採風縦框４１３の屋内側に配置される。把手部１５０は、連動部材４４１を介して障子４０の開放を制限するロック機構４４０を有する（図３参照）。
【００３３】
次に、開口部下枠５２の詳細な構成について説明する。開口部下枠５２は、屋外側に配置される屋外側アルミ形材６１０と、屋内側に配置される屋内側アルミ形材７１０と、屋外側アルミ形材６１０と屋内側アルミ形材７１０を連結する上側樹脂ブリッジ６６０及び下側樹脂ブリッジ６７０と、を備える（図４参照）。
【００３４】
屋外側アルミ形材６１０は、ホロー部６０３を有する金属製部材である。屋外側アルミ形材６１０の上部には、障子４０の戸当たりとして機能する上側延出部６１５が設けられる。上側延出部６１５にはクッション部材６１６が嵌め込み固定される。
【００３５】
屋外側アルミ形材６１０の屋外側には、後述する排水経路９００の出口６２０が形成される。この出口６２０には、屋内側から屋外側への水の流れのみを許容する排水弁５５が配置される。
【００３６】
屋外側アルミ形材６１０の屋内側上部には上側樹脂ブリッジ６６０の屋外側を嵌合する上側嵌合溝６２１が形成され、屋内側下部には下側樹脂ブリッジ６７０を嵌合する下側嵌合溝６３１が形成される。下側嵌合溝６３１の上部には、見込方向屋内側に延びた後、上方に延びる屋内側延出片６３０が形成される。本実施形態の屋内側延出片６３０は、後述する屋外側延出片７１２の下方で、断面形状が屋内側に進むにつれて徐々に立ち上る形状となっている。
【００３７】
屋外側アルミ形材６１０の屋内側面における上側嵌合溝６２１と下側嵌合溝６３１の間には貫通孔６１３が形成される。貫通孔６１３は、屋外側アルミ形材６１０の内部空間であるホロー部６０３と、上側樹脂ブリッジ６６０と下側樹脂ブリッジ６７０の間の中間空間６０２と、を連通している。貫通孔６１３は、見付方向（左右方向）で間欠的に形成されている。なお、貫通孔６１３は、間欠的ではなく見付方向（左右方向）に延びる一つの孔であってもよい。
【００３８】
屋内側アルミ形材７１０は、ホロー部６０１と屋内側水受け部７１６を有する金属製部材である。屋内側アルミ形材７１０の屋外側上部には上側樹脂ブリッジ６６０の屋内側を嵌合する上側嵌合溝７２１が形成され、屋外側下部には下側樹脂ブリッジ６７０の屋内側を嵌合する下側嵌合溝７３１が形成される。なお、屋内側アルミ形材７１０は、ホロー部６０１がないソリッド形状であっても良い。
【００３９】
ホロー部６０１の底面７１５の屋外側端部には屋外側延出片７１２が形成される。屋外側延出片７１２は、底面７１５を介して屋内側水受け部７１６に連続している。屋外側延出片７１２は、屋外側アルミ形材６１０の屋内側延出片６３０の位置に対応する位置に設けられる。本実施形態の屋外側延出片７１２は、その断面形状が屋外側に進むにつれて徐々に垂れ下がる形状となっている。
【００４０】
屋内側アルミ形材７１０の屋内側には、下額縁８２が嵌合固定される。本実施形態では、下額縁８２は、下ジョイント部材９２に嵌合する嵌合部８４４と、下額縁８２の上端部に設けられる枠材嵌合部８４５と、を備える。下額縁８２は、屋内側アルミ形材７１０に形成される額縁嵌合部７１１と、下ジョイント部材９２と、によって２箇所で嵌合固定される。
【００４１】
また、屋内側アルミ形材７１０の額縁嵌合部７１１に対向する屋外側面にも貫通孔６１１が形成される。貫通孔６１１は、ホロー部６０１と屋内側アルミ形材７１０の屋内側水受け部７１６（屋内側）を連通している。また、貫通孔６１１の上方には、屋内側に延びる延出片６５２が形成されている。貫通孔６１１は、見付方向（左右方向）で間欠的に形成されている。なお、貫通孔６１１は、間欠的ではなく見付方向（左右方向）に延びる一つの開口であってもよい。
【００４２】
屋内側アルミ形材７１０の屋外側には、上側樹脂ブリッジ６６０の屋内側を嵌合する上側嵌合溝７２１が形成され、屋外側下部には下側樹脂ブリッジ６７０を嵌合する下側嵌合溝７３１が形成される。
【００４３】
屋内側アルミ形材７１０の屋外側面における上側嵌合溝７２１と下側嵌合溝７３１の間には貫通孔６１２が形成される。貫通孔６１２は、上側樹脂ブリッジ６６０と下側樹脂ブリッジ６７０の間の中間空間６０２と、屋内側アルミ形材７１０の内部空間であるホロー部６０１と、を連通している。貫通孔６１２は、見付方向（左右方向）で間欠的に形成されている。なお、貫通孔６１２は、間欠的ではなく見付方向（左右方向）に延びる一つの孔であってもよい。
【００４４】
上側樹脂ブリッジ６６０は、ブリッジ本体部６６１と、ブリッジ本体部６６１の上面に配置される止水部６６２と、が一体成形により構成される。上側樹脂ブリッジ６６０は、ブリッジ本体部６６１の屋外側が屋外側アルミ形材６１０の上側嵌合溝６２１にカシメ嵌合されるとともに、屋内側が屋内側アルミ形材７１０の上側嵌合溝７２１にカシメ嵌合される樹脂製部材である。
【００４５】
止水部６６２は、軟質性で耐水性を有する材料（例えば、ゴム）によって構成されている。止水部６６２により、上側樹脂ブリッジ６６０の上面が屋外側アルミ形材６１０の上面及び屋内側アルミ形材７１０の上面に略面一となっている。後述する進水経路９１１から水が中間空間６０２の上方に侵入した場合でも、止水部６６２によってブリッジ本体部６６１が水に触れることがない。
【００４６】
下側樹脂ブリッジ６７０は、左右方向に延びる板状に形成されている。下側樹脂ブリッジ６７０の屋外側が屋外側アルミ形材６１０の下側嵌合溝６３１にカシメ嵌合されるとともに、屋内側が屋内側アルミ形材７１０の下側嵌合溝７３１にカシメ嵌合される。
【００４７】
次に、開口部下枠５２の内部に形成される排水経路９００について説明する。障子４０の屋外側から進入する進水経路９１１や障子４０の結露等に起因する進水経路９１２等から開口部下枠５２の内部に水が侵入することがある。本実施形態では、開口部下枠５２に進入した水は排水経路９００を通じて屋外側に排水される。
【００４８】
進水経路９１１や進水経路９１２等によって侵入した水は、屋内側アルミ形材７１０の屋内側水受け部７１６に受け止められ、貫通孔６１１を通じてホロー部６０１に進入し、底面７１５を伝って貫通孔６１２から中間空間６０２に進む。底面７１５の屋外側端部に位置する屋外側延出片７１２から屋内側延出片６３０に落下し、屋内側延出片６３０から貫通孔６１３を通じてホロー部６０３に進入し、最終的に出口６２０に配置される排水弁５５を通じて屋外に排出される。屋内側延出片６３０の端部は、上方へ立ち上がっており、屋内側延出片６３０に落下した水が堰き止められ、下側樹脂ブリッジ６７０側に侵入できない構造となっている。
【００４９】
出口６２０に接続されるホロー部６０３の底面６６５は、屋内側延出片６３０よりも下方に位置しており、ホロー部６０１の底面７１５、屋内側延出片６３０、ホロー部６０３の底面６６５は、階段状にその高さが変化しており、排水が上から下に流れる構造となっている。
【００５０】
上記実施形態によれば、以下のような効果を奏する。
本実施形態の戸体１２（建具）の開口部３０に固定される開口部下枠５２は、屋内側水受け部７１６を有し、屋内側に配置される屋内側アルミ形材（屋内側金属製部材）７１０と、ホロー部６０３を有し、屋外側に配置される屋外側アルミ形材６１０（屋外側金属製部材）と、屋外側アルミ形材６１０の上部と屋内側アルミ形材７１０の上部をカシメ固定により見込方向で連結する上側樹脂ブリッジ（上側樹脂製部材）６６０と、屋外側アルミ形材６１０の下部と屋外側アルミ形材６１０の下部をカシメ固定により見込方向で連結し、屋内側アルミ形材７１０と屋外側アルミ形材６１０の間で上側樹脂ブリッジ６６０とともに中間空間６０２を形成する下側樹脂ブリッジ（下側樹脂製部材）６７０と、ホロー部６０１、中間空間６０２及びホロー部６０３を連通し、屋外側アルミ形材６１０に形成される出口６２０に至る排水経路９００と、を備える。
【００５１】
これにより、上側樹脂ブリッジ６６０及び下側樹脂ブリッジ６７０によって断熱性を向上させつつ、開口部下枠５２に進入した水を屋内側に漏水させることなく、排水経路９００を通じて屋外に排出できる。本実施形態のように、屋内側の樹脂製部材である下額縁８２の厚みが薄い構造であっても、開口部下枠５２で十分な断熱性を確保できるので、構造やデザインに左右されることなく十分な断熱性能を発揮できるのである。即ち、本実施形態の構成によれば、高い断熱性及び排水性の両立を実現できるのである。
【００５２】
また、本実施形態では、屋内側アルミ形材７１０は、ホロー部６０１の底面７１５から屋外側に延びる屋外側延出片７１２を有し、屋外側アルミ形材６１０は、屋内側に延びて屋外側延出片７１２の下側に入り込む屋内側延出片６３０を有し、下側樹脂ブリッジ６７０は、屋外側延出片７１２の下側に配置される。
【００５３】
これにより、カシメ加工した部分が排水経路９００から外れるので、カシメ加工した部分から下側樹脂ブリッジ６７０に水が触れる事態を想定する必要がなくなる。従って、本実施形態では、下側樹脂ブリッジ６７０に耐水性が要求されなくなり、製造性を向上させることができる。また、下側樹脂ブリッジ６７０が屋内側延出片６３０の下側に位置するので、成形時のカシメ圧力に十分耐える厚さにしたとしても、厚みによって排水経路９００が妨げられることもない。複雑な加工を行うことなく断熱性及び排水性の両立が可能となる。
【００５４】
また、本実施形態では、屋内側延出片６３０の先端が上方に立ち上がる形状である。
【００５５】
これにより、屋内側延出片６３０の先端が上方に立ち上がっているので、屋内側延出片６３０の上面に落下した水の屋外側への移動を規制することができ、下側樹脂ブリッジ６７０に水が触れる事態をより確実に防止することができる。
る。
【００５６】
以上、本発明の好ましい実施形態について説明したが、本発明は、上述の実施形態に制限されるものではなく、適宜変更が可能である。
【００５７】
図５は、変形例の建具２０１が備える開口部下枠５２ａ及びその周囲を示す拡大縦断面図である。なお、以下の説明において上記実施形態と共通又は同様の構成については同じ符号を付してその説明を省略する場合がある。
【００５８】
図５に示す変形例では下側樹脂ブリッジ９７０及び排水経路９０１の一部が上記実施形態と異なっている。本変形例の下側樹脂ブリッジ９７０は、ブリッジ本体部９７１と、ブリッジ本体部９７１の上面に配置される止水部９７２と、から構成される。
【００５９】
下側樹脂ブリッジ９７０は、ブリッジ本体部９７１の屋外側が屋外側アルミ形材６１０ａの下側嵌合溝９２１にカシメ嵌合されるとともに、屋内側が屋内側アルミ形材７１０ａの下側嵌合溝９２０にカシメ嵌合される。止水部９７２は、上側樹脂ブリッジ６６０の止水部６６２と同様の材料で構成される。
【００６０】
変形例の底面９１５は、屋内側アルミ形材７１０ａにおける貫通孔６１１が形成される部位（貫通孔６１１の底面）及び屋内側水受け部７１６よりも下に位置している。また、止水部９７２は、上側樹脂ブリッジ６６０の止水部６６２の厚みよりも大きな厚みでブリッジ本体部９７１の上面に形成される。止水部９７２の上面は、ホロー部６０１の底面９１５と、屋外側アルミ形材６１０の貫通孔６１３に至る底面９１６と、略面一になっている。本変形では、屋内側水受け部７１６の下方にホロー部６０１の底面９１５が位置し、底面９１５の下方にホロー部６０３の底面６６５が位置し、階段状にその高さが変化しており、排水が上から下に流れる構造となっている。
【００６１】
以上説明したように、本変形例では、下側樹脂ブリッジ９７０の少なくとも上部に位置する止水部９７２が、耐水性のある材料で構成されるとともに排水経路９０１の底面９１５，９１６の一部を形成する。
【００６２】
この構成によっても、高い断熱性及び排水性の両立を実現できる。また、止水部９７２が排水経路９０１の一部となるので、シンプルな構成で漏水を防止しつつ断熱性を向上させることができる。
【００６３】
上記実施形態及び変形例を更に変形することもできる。例えば、上記実施形態及び変形例の下額縁の見込方向を厚くし、当該下額縁の上面を屋外側に進むにつれて下がるように傾斜する形状とすることで、断熱性を向上させつつ、排水経路９００，９０１に水を導き易い構造にすることもできる。
【００６４】
上記実施形態では、開閉可能に取り付けられる障子４０を備える戸体１２の開口部下枠５２に本発明を適用した例を説明したが、この構成に限定されない。建物の躯体開口部に固定される下枠等、種々の建具に本発明を適用することができる。
【符号の説明】
【００６５】
１，２０１  建具
３０  開口部
５２  開口部下枠（下枠）
６０２  中間空間
６０３  ホロー部（屋外側中空部）
６１０  屋外側アルミ形材（屋外側金属製部材）
６２０  出口
６６０  上側樹脂ブリッジ（上側樹脂製部材）
６７０  下側樹脂ブリッジ（下側樹脂製部材）
７１０  屋内側アルミ形材（屋内側金属製部材）
７１６  屋内側水受け部
９００，９０１  排水経路
【図１】
2018150702.tif 000003
【図２】
2018150702.tif 000004
【図３】
2018150702.tif 000005
【図４】
2018150702.tif 000006
【図５】
2018150702.tif 000007